(57)【要約】【課題】雄ねじ部の回動を規制する手段に起因する不都合の発生を防止する。【解決手段】機器本体２００の底部２０１と機器本体２００が設置される設置面４００との間に配設されて機器本体２００の姿勢を調整可能に構成され、設置面４００に載置されるベース部１１と、底部２０１に形成されている雌ねじ部２０２へのねじ込みが可能に構成されて底部２０１とベース部１１との間に配置されると共に回転操作に伴う雌ねじ部２０２に対するねじ込み量の増減によって底部２０１とベース部１１との間の距離を変更させる雄ねじ部１２と、雄ねじ部１２の回転を規制する回転規制部１３とを備え、回転規制部１３は、雄ねじ部１２のねじ込みが可能なねじ孔３１ａが形成された規制部本体３１と、規制部本体３１に配設されて底部２０１に対する締め付け操作に応じて底部２０１と規制部本体３１とが近接する向きへの加圧を行う加圧ねじ３２とを備えている。【選択図】図４
2015088700.tif 000002
【特許請求の範囲】
【請求項１】
機器本体の底部と当該機器本体が設置される設置面との間に配設されて当該機器本体の姿勢を調整するためのアジャスタであって、
前記設置面に載置されるベース部と、前記底部および前記ベース部のいずれか一方に形成されている雌ねじ部へのねじ込みが可能に構成されて当該底部と当該ベース部との間に配置されると共に回転操作に伴う当該雌ねじ部に対するねじ込み量の増減によって当該底部と当該ベース部との間の距離を変更させる雄ねじ部と、当該雄ねじ部の回転を規制する回転規制部とを備え、
前記回転規制部は、前記雄ねじ部のねじ込みが可能なねじ孔が形成された規制部本体と、前記規制部本体に配設されて前記いずれか一方に対する締め付け操作に応じて当該いずれか一方と当該規制部本体とが近接する向きへの加圧を行う加圧ねじとを備えているアジャスタ。
【請求項２】
前記ベース部は、前記雄ねじ部の基端部を支持可能に構成され、
前記雄ねじ部は、前記いずれか一方としての前記底部に形成されている前記雌ねじ部への先端部のねじ込みが可能に構成され、
前記回転規制部は、前記加圧ねじの軸部を挿通可能に前記規制部本体に形成された挿通孔に挿通された当該軸部の先端部を前記底部に形成されている当該加圧ねじ用の雌ねじ部にねじ込む前記締め付け操作に応じて前記加圧を行うように構成されている請求項１記載のアジャスタ。
【請求項３】
前記雄ねじ部の前記基端部には球状の突起部が形成され、
前記ベース部は、前記突起部を回動可能に支持する凹部が形成されて前記雄ねじ部を前記設置面に対して傾斜した状態で支持可能に構成されている請求項２記載のアジャスタ。
【請求項４】
前記雄ねじ部は、前記いずれか一方としての前記ベース部に形成された前記雌ねじ部への基端部のねじ込みが可能に構成されると共に、前記機器本体の底部に形成されている係合孔に対する先端部の係合が可能に構成され、
前記回転規制部は、前記加圧ねじの軸部を挿通可能に前記規制部本体に形成された挿通孔に挿通された当該軸部の先端部を前記ベース部に形成されて当該加圧ねじ用の雌ねじ部にねじ込む前記締め付け操作に応じて前記加圧を行うように構成されている請求項１記載のアジャスタ。
【発明の詳細な説明】
【技術分野】
【０００１】
本発明は、機器本体の底部と機器本体が設置される設置面との間に配設されて機器本体の姿勢を調整するためのアジャスタに関するものである。
【背景技術】
【０００２】
この種のアジャスタとして、下記特許文献１に開示された設置用アジャスタフットが知られている。この設置用アジャスタフットは、キャビネットの姿勢（高さや傾き）の調整に用いられるアジャスタであって、下側にナットが設けられると共に下側の端部に突起部が設けられた雄ネジ部、ナイロンワッシャおよびフットを備えて構成されている。この設置用アジャスタフットを用いてキャビネットの姿勢を調整する際には、キャビネットの底部に配設されている４つのボスの雌ネジ部に４つの雄ネジ部の上側をねじ込む。次いで、床に４つのフットを載置し、その上にナイロンワッシャをそれぞれ載置する。続いて、雄ネジ部に設けられているナットをスパナ等で回転させてキャビネットの底面からの雄ネジ部の突出長を調整する。この調整を４つの雄ネジ部について順次行う。これにより、キャビネットの姿勢が調整される。
【０００３】
一方、この種のアジャスタでは、例えば、キャビネットが振動したときにその振動によって雄ネジ部が回動することに起因して、各雄ネジ部の突出長に差が生じ、これによってキャビネットが傾くおそれがある。このため、僅かに傾いただけで誤差が生じるおそれのある測定機器にこの種のアジャスタを用いるときには、雄ネジ部の回動を規制する必要がある。この場合、雄ネジ部の回動を規制する構成としては、ロックナットを用いる構成や、止めネジを用いる構成が知られている。ロックナットを用いる構成では、キャビネットにおける底部の内側に突出した雄ネジ部の先端部に螺合させたロックナットを回転させて底部の内側から底部の内面に向けて押圧したり、雄ネジ部におけるキャビネットの底部の外側部分に螺合させたロックナットを回転させて底部の外側から底部の外面に向けて押圧したりすることで雄ネジ部の回動を規制する。この場合、危険防止のため、キャビネットにおける底部の内側に突出した雄ネジ部を覆うカバーを設けることがあり、このようなカバーを設ける構成では、キャビネットの姿勢を調整する調整作業の度にカバーを着脱する必要があって作業が煩雑となる。このため、ロックナットを用いる構成では、底部の外側から底部を押圧する構成が採用される。また、止めネジを用いる構成では、雄ネジ部がねじ込まれるボスにネジ孔を形成し、そのネジ孔から止めネジをねじ込んで、止めネジの先端部で雄ネジ部の外周部を押圧することで雄ネジ部の回動を規制する構成が採用される。
【先行技術文献】
【特許文献】
【０００４】
【特許文献１】特開平９−２８３９４１号公報（第２−３頁、第１図）
【発明の概要】
【発明が解決しようとする課題】
【０００５】
ところが、従来のアジャスタには、改善すべき以下の課題ある。すなわち、従来のアジャスタでは、ロックナットや止めネジを用いて雄ネジ部の回動を規制している。しかしながら、ロックナットを回転させてキャビネットの底部の外側から底部を押圧する構成では、ロックナットをねじ込む際に、雄ネジ部の先端部から底部までの距離が変わってしまうことがある。具体的には、ロックナットによって底部を押圧する前の状態では、キャビネットの自重によって底部が下向きに下がるため、雄ネジ部と雌ネジ部との螺合部分における雄ネジ部のネジ山の上面と雌ネジ部のネジ山の下面とが接触して、雄ネジ部のネジ山の下面と雌ネジ部のネジ山の上面との間に僅かな隙間が生じている。この状態でロックナットによって底部を押圧したときには、雄ネジ部のネジ山の下面と雌ネジ部のネジ山の上面との間の上記した隙間の分だけ、底部が雄ネジ部に対して相対的に上方に押し上げられる結果、雄ネジ部の先端部から底部までの距離が変ることとなる。また、止めネジを用いる構成では、止めネジの先端部で雄ネジ部外周部を押圧するため、雄ネジ部のネジ山が破損して、次の調整の際に雄ネジ部をスムーズに回転させることが困難となることがある。このように、従来のアジャスタには、雄ネジ部の回動を規制する手段に起因する不都合が生じることがあり、この点の改善が望まれている。
【０００６】
本発明は、かかる改善すべき課題に鑑みてなされたものであり、雄ねじ部の回動を規制する手段に起因する不都合の発生を防止し得るアジャスタを提供することを主目的とする。
【課題を解決するための手段】
【０００７】
上記目的を達成すべく請求項１記載のアジャスタは、機器本体の底部と当該機器本体が設置される設置面との間に配設されて当該機器本体の姿勢を調整するためのアジャスタであって、前記設置面に載置されるベース部と、前記底部および前記ベース部のいずれか一方に形成されている雌ねじ部へのねじ込みが可能に構成されて当該底部と当該ベース部との間に配置されると共に回転操作に伴う当該雌ねじ部に対するねじ込み量の増減によって当該底部と当該ベース部との間の距離を変更させる雄ねじ部と、当該雄ねじ部の回転を規制する回転規制部とを備え、前記回転規制部は、前記雄ねじ部のねじ込みが可能なねじ孔が形成された規制部本体と、前記規制部本体に配設されて前記いずれか一方に対する締め付け操作に応じて当該いずれか一方と当該規制部本体とが近接する向きへの加圧を行う加圧ねじとを備えている。
【０００８】
また、請求項２記載のアジャスタは、請求項１記載のアジャスタにおいて、前記ベース部は、前記雄ねじ部の基端部を支持可能に構成され、前記雄ねじ部は、前記いずれか一方としての前記底部に形成されている前記雌ねじ部への先端部のねじ込みが可能に構成され、前記回転規制部は、前記加圧ねじの軸部を挿通可能に前記規制部本体に形成された挿通孔に挿通された当該軸部の先端部を前記底部に形成されている当該加圧ねじ用の雌ねじ部にねじ込む前記締め付け操作に応じて前記加圧を行うように構成されている。
【０００９】
また、請求項３記載のアジャスタは、請求項２記載のアジャスタにおいて、前記雄ねじ部の前記基端部には球状の突起部が形成され、前記ベース部は、前記突起部を回動可能に支持する凹部が形成されて前記雄ねじ部を前記設置面に対して傾斜した状態で支持可能に構成されている。
【００１０】
また、請求項４記載のアジャスタは、請求項１記載のアジャスタにおいて、前記雄ねじ部は、前記いずれか一方としての前記ベース部に形成された前記雌ねじ部への基端部のねじ込みが可能に構成されると共に、前記機器本体の底部に形成されている係合孔に対する先端部の係合が可能に構成され、前記回転規制部は、前記加圧ねじの軸部を挿通可能に前記規制部本体に形成された挿通孔に挿通された当該軸部の先端部を前記ベース部に形成されて当該加圧ねじ用の雌ねじ部にねじ込む前記締め付け操作に応じて前記加圧を行うように構成されている。
【発明の効果】
【００１１】
請求項１記載のアジャスタでは、雄ねじ部のねじ込みが可能なねじ孔が形成された規制部本体と、機器本体の底部およびベース部のいずれか一方に対する締め付け操作に応じていずれか一方と規制部本体とが近接する向きへの加圧を行う加圧ねじとを備えて回転規制部が構成されている。このため、このアジャスタによれば、止めネジを用いる構成とは異なり、雄ねじ部におけるネジ山の破損を回避することができるため、ネジ山の破損によって雄ねじ部をスムーズに回転させることが困難となるような不都合の発生を確実に防止することができる。また、このアジャスタによれば、機器本体の底部に対する加圧ねじの締め付け操作に応じて機器本体の底部と規制部本体とが近接する向きへの加圧を行う構成を採用したときには、雄ねじ部がねじ込まれている規制部本体に向けて、底部が加圧ねじの締め付けによって引き寄せられるため、雄ねじ部と雌ねじ部との螺合部分における雄ねじ部のねじ山の上面と雌ねじ部のねじ山の下面とが接触したまま、雄ねじ部の回転を規制することができる。この結果、このアジャスタによれば、ロックナットを回転させて機器本体の底部の外側から底部を押圧させる構成とは異なり、雄ねじ部の先端部から底部までの距離が変わるような不都合の発生を確実に防止することができる。
【００１２】
また、請求項２記載のアジャスタは、機器本体の底部に形成されている雌ねじ部に雄ねじ部の先端部をねじ込むように構成されている。この場合、ベース部に形成した雌ねじ部に雄ねじ部の基端部をねじ込む構成では、ベース部からの雄ねじ部の突出長を増減させるために、雌ねじ部をある程度長く形成する必要があるため、その分ベース部の厚みが厚くなる。これに対して、このアジャスタでは、ベース部に雌ねじ部を形成する必要がないため、その分ベース部を薄く構成することができる結果、アジャスタを全体として小形化することができる。
【００１３】
また、請求項３記載のアジャスタでは、雄ねじ部の基端部に球状の突起部が形成され、突起部を回動可能に支持する凹部がベース部に形成されている。このため、このアジャスタによれば、設置面に対して傾斜している状態の雄ねじ部をベース部によって支持することができる。したがって、このアジャスタによれば、例えば、傾斜している設置面に機器本体を設置する際に、機器本体の底部を水平とするような調整作業を確実かつ容易に行うことができる。
【００１４】
また、請求項４記載のアジャスタは、ベース部に形成されている雌ねじ部に雄ねじ部の基端部をねじ込み、機器本体の底部に形成されている係合孔に雄ねじ部の先端部を係合させるように構成されている。このため、このアジャスタによれば、機器本体の底部に雌ねじ部を形成する必要がない結果、例えば、底部に雌ねじ部を形成するスペースを確保することができない機器本体についても、姿勢の調整を確実に行うことができる。
【図面の簡単な説明】
【００１５】
【図１】アジャスタ１および機器本体２００の構成を示す第１の斜視図である。
【図２】アジャスタ１および機器本体２００の構成を示す第２の斜視図である。
【図３】アジャスタ１および機器本体２００の構成を示す第３の斜視図である。
【図４】アジャスタ１の使用方法を説明する説明図である。
【図５】アジャスタ１０１および機器本体３００構成を示す第１の斜視図である。
【図６】アジャスタ１０１および機器本体３００構成を示す第２の斜視図である。
【図７】アジャスタ１０１および機器本体３００構成を示す第３の斜視図である。
【図８】アジャスタ１０１の使用方法を説明する説明図である。
【発明を実施するための形態】
【００１６】
以下、アジャスタの実施の形態について、添付図面を参照して説明する。
【００１７】
最初に、アジャスタ１の構成について説明する。図１に示すアジャスタ１は、アジャスタの一例であって、図１，２に示すように、機器本体の一例としての機器本体２００の底部２０１と機器本体２００が設置される設置場所の設置面４００（テーブルや床の表面：図４参照）との間に配設されて機器本体２００の姿勢（高さや傾き）を調整可能に構成されている。具体的には、アジャスタ１は、ベース部１１、雄ねじ部１２および回転規制部１３を備えて構成されている。なお、図２では、機器本体２００の底部２０１を透視した状態でアジャスタ１を図示している。
【００１８】
ベース部１１は、設置面４００（図４参照）に載置される部材であって、図３に示すように、一例として平面視円形の板状に形成されている。また、ベース部１１における上面１１ａの中央部には、凹部１１ｂが形成されている。この場合、凹部１１ｂは、内周面が半球状に形成されて、雄ねじ部１２の基端部１２ａに形成されている球状（球の一部に相当する形状）の突起部２１が凹部１１ｂに対して回動可能に嵌合するように構成されている。このアジャスタ１では、このように凹部１１ｂに対して突起部２１が回動可能に嵌合しているため、雄ねじ部１２を設置面４００に対して傾斜した状態で支持することが可能となっている。
【００１９】
雄ねじ部１２は、図４に示すように、機器本体２００の底部２０１に形成されている雌ねじ部２０２への先端部１２ｂのねじ込みが可能に構成されている。また、図３，４に示すように、雄ねじ部１２の基端部１２ａには、上記したように、ベース部１１の凹部１１ｂに嵌合可能（着脱可能）な球状の突起部２１が形成されている。また、雄ねじ部１２の基端部１２ａ側（突起部２１よりもやや先端部１２ｂ側）には、雄ねじ部１２を回転（回動）させる回転操作を行う際に、レンチを係合させる六角ナット状の係合部２２が雄ねじ部１２に一体形成されている。この雄ねじ部１２は、図４に示すように、機器本体２００の底部２０１とベース部１１との間に配置され、回転操作に伴って機器本体２００の雌ねじ部２０２に対するねじ込み量が増減させられることにより、底部２０１とベース部１１との間の距離を変更させる機能を有している。
【００２０】
回転規制部１３は、雄ねじ部１２の回転を規制する部材であって、図３に示すように、規制部本体３１および加圧ねじ３２を備えて構成されている。規制部本体３１は、同図に示すように、一例として、平面視円形の板状に形成されている。また、規制部本体３１の中央部には、雄ねじ部１２のねじ込みが可能なねじ孔３１ａが形成されている。また、規制部本体３１には、加圧ねじ３２（一例として、キャップスクリュー）における頭部４２を除く軸部４１のみを挿通可能な４つの挿通孔３１ｂが形成されている。この場合、挿通孔３１ｂは、同図に示すように、ねじ孔３１ａを取り囲んでねじ孔３１ａの中心軸を中心とする仮想円上において等間隔に並ぶように形成されている。
【００２１】
この回転規制部１３では、図４に示すように、ねじ孔３１ａに雄ねじ部１２がねじ込まれた状態の規制部本体３１の下部側から挿通孔３１ｂに加圧ねじ３２の軸部４１を挿通させて、軸部４１の先端部４１ａを機器本体２００の底部２０１に形成されている雌ねじ部２０３（加圧ねじ用の雌ねじ部）にねじ込む締め付け操作を行って機器本体２００の底部２０１と規制部本体３１とが近接する向きに力を加える（加圧する）ことで、雄ねじ部１２の回転が規制される。なお、機器本体２００の各雌ねじ部２０３は、図３に示すように、規制部本体３１のねじ孔３１ａと雌ねじ部２０２とを対向させたときに、規制部本体３１の各挿通孔３１ｂと互いに対向するように、雌ねじ部２０２を取り囲んで雌ねじ部２０２の中心軸を中心とする仮想円上において等間隔に並ぶように形成されている。
【００２２】
次に、アジャスタ１の使用方法について、図面を参照して説明する。一例として、４つのアジャスタ１を用いて機器本体２００の姿勢（高さや傾き）を調整する方法について説明する。なお、機器本体２００の底部２０１の四隅に雌ねじ部２０２および４つの雌ねじ部２０３がそれぞれ形成されている（つまり、４つの雌ねじ部２０２および１６個の雌ねじ部２０３が底部２０１に形成されている）ものとする。また、底部２０１における四隅の内側（上部側）には、図４に示すように、雌ねじ部２０２，２０３を覆うようにしてカバー２０４がそれぞれ取り付けられているものとする。
【００２３】
まず、アジャスタ１における雄ねじ部１２の先端部１２ｂを回転規制部１３における規制部本体３１の一面側から規制部本体３１のねじ孔３１ａにねじ込んで、先端部１２ｂを規制部本体３１の他面側に突出させる。次いで、この作業を、他の３つのアジャスタ１についても行う。
【００２４】
続いて、機器本体２００の底部２０１を上向き（または横向き）にした状態で、４つの雄ねじ部１２を底部２０１に装着する。具体的には、各雄ねじ部１２の各先端部１２ｂを底部２０１に形成されている４つの雌ねじ部２０２にそれぞれねじ込む。この場合、底部２０１の外側（図４における下側）に突出する各雄ねじ部１２の長さ（底部２０１から突起部２１までの雄ねじ部１２の突出長）が互いに同程度となるように、各雌ねじ部２０２に対する各雄ねじ部１２の先端部１２ｂのねじ込み量を調整する。
【００２５】
次いで、機器本体２００を設置する設置場所の設置面４００（テーブルや床の表面：図４参照）に４つのアジャスタ１の各ベース部１１を載置する。続いて、４つの雄ねじ部１２を装着した機器本体２００の底部２０１を下向きにした状態で各雄ねじ部１２の各先端部１２ｂを各ベース部１１の上面１１ａに形成されている凹部１１ｂにそれぞれ嵌合させる。この場合、凹部１１ｂに対して突起部２１が回動可能に嵌合する。
【００２６】
次いで、機器本体２００の姿勢（高さや傾き）を調整する。具体的には、各雄ねじ部１２の基端部１２ａ側に設けられている係合部２２を掴んで雄ねじ部１２を回動（回動）させて、機器本体２００における底部２０１の雌ねじ部２０２に対する雄ねじ部１２のねじ込み量を増減させることで、底部２０１から突起部２１までの各雄ねじ部１２の突出長を調整する。この場合、係合部２２にレンチを係合させて雄ねじ部１２を回転（回動）させることで、機器本体２００の重量が大きい場合においても、雄ねじ部１２を容易に回転させることができる。
【００２７】
ここで、このアジャスタ１では、上記したように、凹部１１ｂに対して突起部２１が回動可能に嵌合している。このため、雄ねじ部１２を設置面４００に対して傾斜した状態で支持することが可能な結果、傾斜している設置面４００に機器本体２００を設置する際に、機器本体２００の底部２０１を水平とするような調整作業を確実かつ容易に行うことが可能となっている。
【００２８】
続いて、雄ねじ部１２の回転を規制する（雄ねじ部１２を回転規制状態にセットする）。具体的には、図４に示すように、回転規制部１３の規制部本体３１に形成されている４つの挿通孔３１ｂに加圧ねじ３２の軸部４１をそれぞれ挿通させ、次いで、各軸部４１の先端部４１ａを機器本体２００の底部２０１に形成されている雌ねじ部２０３にねじ込む。
【００２９】
続いて、加圧ねじ３２の頭部４２に形成されている六角穴４２ａ（図４参照）に先端部を挿入させた六角レンチを用いて加圧ねじ３２を回転させて締め付ける。この場合、４つの加圧ねじ３２を均等に締め付ける。この際に、加圧ねじ３２の締め付けに伴い、規制部本体３１と底部２０１とが互いに近接する向きの力が規制部本体３１および底部２０１に加わり、底部２０１の雌ねじ部２０２と雄ねじ部１２との螺合部分にこの力が作用し、この力によって螺合部分に大きな摩擦力が生じる。この結果、雄ねじ部１２の回動が確実に規制される。
【００３０】
次いで、雌ねじ部２０３に対する加圧ねじ３２のねじ込みおよび締め付けの作業を他の３つのアジャスタ１について同様に行う。以上により、各アジャスタ１の各雄ねじ部１２が回転規制状態にセットされる。
【００３１】
このアジャスタ１では、止めネジを用いる構成とは異なり、雄ねじ部１２におけるネジ山の破損が回避されるため、ネジ山の破損によって雄ねじ部１２をスムーズに回転させることが困難となる不都合の発生を確実に防止することが可能となっている。
【００３２】
また、このアジャスタ１では、ロックナットを回転させて機器本体２００の底部２０１の外側から底部２０１を押圧させる構成とは異なり、ロックナットの回動に伴って雄ネジ部が回動して（供回りして）雄ねじ部１２の先端部１２ｂから底部２０１までの距離が変わってしまう不都合の発生を確実に防止することが可能となっている。具体的には、ロックナットを用いる構成において、ロックナットによって底部２０１を押圧する前の状態では、機器本体２００の自重によって底部２０１が下向きに下がるため、雄ねじ部１２と雌ねじ部２０２との螺合部分における雄ねじ部１２のねじ山の上面と雌ねじ部２０２のねじ山の下面とが接触して、雄ねじ部１２のねじ山の下面と雌ねじ部２０２のねじ山の上面との間に僅かな隙間が生じている。この状態でロックナットによって底部２０１を押圧したときには、雄ねじ部１２のねじ山の下面と雌ねじ部２０２のねじ山の上面との間の上記した隙間の分だけ、底部２０１が雄ねじ部１２に対して相対的に上方に押し上げられる結果、雄ねじ部１２の先端部１２ｂから底部２０１までの距離が変ることとなる。
【００３３】
これに対して、このアジャスタ１では、上記したように、加圧ねじ３２の締め付けによって規制部本体３１が雄ねじ部１２を底部２０１に向けて押圧する、つまり、加圧ねじ３２の締め付けにより、雄ねじ部１２がねじ込まれている規制部本体３１に向けて底部２０１が引き寄せられるように回転規制部１３が構成されている。このため、雄ねじ部１２と雌ねじ部２０２との螺合部分における雄ねじ部１２のねじ山の上面と雌ねじ部２０２のねじ山の下面とが接触したまま、雄ねじ部１２が回転規制状態にセットされる。この結果、雄ねじ部１２の先端部１２ｂから底部２０１までの距離が変わってしまう不都合の発生を確実に防止することが可能となっている。
【００３４】
一方、機器本体２００の姿勢を再調整する際には、回転規制部１３の各加圧ねじ３２を緩めて雄ねじ部１２の回転規制状態を解除し、規制部本体３１から各加圧ねじ３２を取り外す。これにより、雄ねじ部１２が回転可能状態となるため、雄ねじ部１２を回転（回動）させて雄ねじ部１２の突出長を調整する。続いて、調整が終了した雄ねじ部１２を上記した手順で、回転規制状態にセットする。
【００３５】
このように、このアジャスタ１では、雄ねじ部１２のねじ込みが可能なねじ孔３１ａが形成された規制部本体３１と、機器本体２００の底部２０１に形成されている雌ねじ部２０３に軸部４１の先端部４１ａをねじ込む締め付け操作によって機器本体２００の底部２０１と規制部本体３１とが近接する向きに力を加える（加圧する）加圧ねじ３２とを備えて回転規制部１３が構成されている。このため、このアジャスタ１によれば、止めネジを用いる構成とは異なり、雄ねじ部１２におけるネジ山の破損を回避することができるため、ネジ山の破損によって雄ねじ部１２をスムーズに回転させることが困難となるような不都合の発生を確実に防止することができる。また、このアジャスタ１によれば、雄ねじ部１２がねじ込まれている規制部本体３１に向けて、底部２０１が加圧ねじ３２の締め付けによって引き寄せられるため、雄ねじ部１２と雌ねじ部２０２との螺合部分における雄ねじ部１２のねじ山の上面と雌ねじ部２０２のねじ山の下面とが接触したまま、雄ねじ部１２の回転を規制することができる。この結果、このアジャスタ１によれば、ロックナットを回転させて機器本体２００の底部２０１の外側から底部２０１を押圧させる構成とは異なり、雄ねじ部１２の先端部１２ｂから底部２０１までの距離が変わるような不都合の発生を確実に防止することができる。
【００３６】
また、このアジャスタ１は、機器本体２００の底部２０１に形成されている雌ねじ部２０２に雄ねじ部１２の先端部１２ｂをねじ込むように構成されている。この場合、ベース部１１に形成した雌ねじ部に基端部１２ａをねじ込む構成では、ベース部１１からの雄ねじ部１２の突出長を増減させるために、雌ねじ部をある程度長く形成する必要があるため、その分ベース部１１の厚みが厚くなる。これに対して、このアジャスタ１では、ベース部１１に雌ねじ部を形成する必要がないため、その分ベース部１１を薄く構成することができる結果、アジャスタ１を全体として小形化することができる。
【００３７】
また、このアジャスタ１では、雄ねじ部１２の基端部１２ａに球状の突起部２１が形成され、突起部２１を回動可能に支持する凹部１１ｂがベース部１１の上面１１ａに形成されている。このため、このアジャスタ１によれば、設置面４００に対して傾斜している状態の雄ねじ部１２をベース部１１によって支持することができる。したがって、このアジャスタ１によれば、例えば、傾斜している設置面４００に機器本体２００を設置する際に、機器本体２００の底部２０１を水平とするような調整作業を確実かつ容易に行うことができる。
【００３８】
次に、アジャスタの他の実施形態としての図５に示すアジャスタ１０１について説明する。なお、以下の説明において、上記したアジャスタ１と同じ構成要素については、同じ符号を付して、重複する説明を省略する。
【００３９】
このアジャスタ１０１は、図５，６に示すように、機器本体の一例としての機器本体３００の底部３０１と機器本体３００が設置される設置場所の設置面４００（図８参照）との間に配設されて機器本体３００の姿勢を調整可能に構成されている。具体的には、アジャスタ１０１は、ベース部１１１、雄ねじ部１１２および回転規制部１３を備えて構成されている。なお、図６では、機器本体３００の底部３０１を透視した状態でアジャスタ１０１を図示している。
【００４０】
ベース部１１１は、機器本体３００が設置される設置場所の設置面４００（図８参照）に載置される部材であって、図７に示すように、一例として略円柱状に形成されている。また、ベース部１１１の中央部には、上面１１１ａ側が開口して雄ねじ部１１２のねじ込みが可能な雌ねじ部１１１ｂが形成されている。またベース部１１１の上面１１１ａ側には、回転規制部１３における加圧ねじ３２の軸部４１のねじ込みが可能な雌ねじ部１１１ｃ（加圧ねじ用の雌ねじ部）が形成されている。この場合、雌ねじ部１１１ｃは、図７に示すように、回転規制部１３における規制部本体３１のねじ孔３１ａと雌ねじ部１１１ｂとを対向させたときに、規制部本体３１の各挿通孔３１ｂと互いに対向するように、雌ねじ部１１１ｂを取り囲んで雌ねじ部１１１ｂの中心軸を中心とする仮想円上において等間隔に並ぶように形成されている。
【００４１】
雄ねじ部１１２は、図８に示すように、ベース部１１１の雌ねじ部１１１ｂへの基端部１１２ａのねじ込みが可能に構成されている。また、図７，８に示すように、雄ねじ部１１２の先端部１１２ｂには、機器本体３００の底部３０１に形成されている係合孔３０２に係合する円錐部１２１が形成されている。また、雄ねじ部１１２の先端部１１２ｂ側（円錐部１２１よりもやや基端部１１２ａ側）には、雄ねじ部１１２を回転（回動）させる回転操作を行う際に、レンチを係合させる係合部１２２が雄ねじ部１１２に一体形成されている。この雄ねじ部１１２は、図８に示すように、機器本体３００の底部３０１とベース部１１１との間に配置され、回転操作に伴ってベース部１１１の雌ねじ部１１１ｂに対するねじ込み量が増減させられることにより、底部３０１とベース部１１１との間の距離を変更させる機能を有している。
【００４２】
回転規制部１３は、上記したアジャスタ１の回転規制部１３と同様に構成されて、雄ねじ部１１２の回転を規制する機能を有している。具体的には、この回転規制部１３では、図８に示すように、ねじ孔３１ａに雄ねじ部１１２がねじ込まれた状態の規制部本体３１の上部側から挿通孔３１ｂに加圧ねじ３２の軸部４１を挿通させて、軸部４１の先端部４１ａをベース部１１１の雌ねじ部１１１ｃにねじ込む締め付け操作を行ってベース部１１１と規制部本体３１とが近接する向きに力を加える（加圧する）ことで、雄ねじ部１１２の回転を規制することが可能となっている。
【００４３】
次に、アジャスタ１０１の使用方法について、図面を参照して説明する。一例として、４つのアジャスタ１０１を用いて機器本体３００の姿勢（高さや傾き）を調整する方法について説明する。なお、機器本体３００の底部３０１の四隅に係合孔３０２がそれぞれ形成されている（つまり、４つの係合孔３０２が底部３０１に形成されている）ものとする。
【００４４】
まず、アジャスタ１０１における雄ねじ部１１２の基端部１１２ａを回転規制部１３における規制部本体３１の一面側から規制部本体３１のねじ孔３１ａにねじ込んで、基端部１１２ａを規制部本体３１の他面側に突出させる。次いで、この作業を、他の３つのアジャスタ１０１についても行う。
【００４５】
続いて、機器本体３００を設置する設置場所の設置面４００（図８参照）に４つのアジャスタ１０１の各ベース部１１１を載置する。次いで、アジャスタ１０１の各雄ねじ部１１２を各ベース部１１１にそれぞれ装着する。具体的には、各雄ねじ部１１２の各基端部１１２ａを各ベース部１１１に形成されている各雌ねじ部１１１ｂにそれぞれねじ込む。この場合、ベース部１１１から突出する各雄ねじ部１１２の長さ（ベース部１１１の上面１１１ａから円錐部１２１の先端部までの突出長）が互いに同程度となるように、各雌ねじ部１１１ｂに対する各雄ねじ部１１２の基端部１１２ａのねじ込み量を調整する。
【００４６】
続いて、４つのアジャスタ１０１上に機器本体３００を載置して各アジャスタ１０１によって機器本体３００を支持させる。この場合、機器本体３００を各アジャスタ１０１上に載置する際に、各アジャスタ１０１における各雄ねじ部１１２の円錐部１２１を機器本体３００の底部３０１に形成されている係合孔３０２に挿入して、円錐部１２１と係合孔３０２とを係合させる。
【００４７】
次いで、機器本体３００の姿勢（高さや傾き）を調整する。具体的には、各雄ねじ部１１２の先端部１１２ｂ側に設けられている係合部１２２を掴んで雄ねじ部１１２を回動（回動）させて、ベース部１１１の雌ねじ部１１１ｂに対する雄ねじ部１１２のねじ込み量を増減させることで、ベース部１１１の上面１１１ａから円錐部１２１の先端部までの各雄ねじ部１１２の突出長を調整する。この場合、係合部１２２にレンチを係合させて雄ねじ部１１２を回転（回動）させることで、機器本体３００の重量が大きい場合においても、雄ねじ部１１２を容易に回転させることができる。
【００４８】
続いて、雄ねじ部１１２の回転を規制する（雄ねじ部１１２を回転規制状態にセットする）。具体的には、図８に示すように、回転規制部１３の規制部本体３１に形成されている４つの挿通孔３１ｂに加圧ねじ３２の軸部４１をそれぞれ挿通させ、次いで、各軸部４１の先端部４１ａをベース部１１１に形成されている雌ねじ部１１１ｃにねじ込む。
【００４９】
続いて、加圧ねじ３２の頭部４２に形成されている六角穴４２ａ（図７，８参照）に先端部を挿入させた六角レンチを用いて加圧ねじ３２を回転させて締め付ける。この場合、４つの加圧ねじ３２を均等に締め付ける。この際に、加圧ねじ３２の締め付けに伴い、規制部本体３１とベース部１１１とが互いに近接する向きの力が規制部本体３１およびベース部１１１に加わり、ベース部１１１の雌ねじ部１１１ｂと雄ねじ部１１２との螺合部分にこの力が作用し、この力によって螺合部分に大きな摩擦力が生じる。この結果、雄ねじ部１１２の回動が確実に規制される。
【００５０】
次いで、雌ねじ部１１１ｂに対する加圧ねじ３２のねじ込みおよび締め付けの作業を他の３つのアジャスタ１０１について同様に行う。以上により、各アジャスタ１０１の各雄ねじ部１１２が回転規制状態にセットされる。
【００５１】
このアジャスタ１０１においても、止めネジを用いる構成とは異なり、雄ねじ部１１２におけるネジ山の破損が回避されるため、ネジ山の破損によって雄ねじ部１１２をスムーズに回転させることが困難となる不都合の発生を確実に防止することが可能となっている。
【００５２】
一方、機器本体３００の姿勢を再調整する際には、回転規制部１３における各加圧ねじ３２を緩めて雄ねじ部１１２の回転規制状態を解除し、続いて、規制部本体３１から各加圧ねじ３２を取り外す。次いで、雄ねじ部１１２を回転（回動させて）雄ねじ部１１２の突出長を調整する。続いて、調整が終了した雄ねじ部１１２を上記した手順で、回転規制状態にセットする。
【００５３】
このように、このアジャスタ１０１では、雄ねじ部１１２のねじ込みが可能なねじ孔３１ａが形成された規制部本体３１と、ベース部１１１に形成されている雌ねじ部１１１ｃに軸部４１の先端部４１ａをねじ込む締め付け操作によってベース部１１１と規制部本体３１とが近接する向きに力を加える（加圧する）加圧ねじ３２とを備えて回転規制部１３が構成されている。このため、このアジャスタ１０１によれば、止めネジを用いる構成とは異なり、雄ねじ部１１２におけるネジ山の破損を回避することができるため、ネジ山の破損によって雄ねじ部１１２をスムーズに回転させることが困難となるような不都合の発生を確実に防止することができる。
【００５４】
また、このアジャスタ１０１は、ベース部１１１に形成されている雌ねじ部１１１ｂに雄ねじ部１１２の基端部１１２ａをねじ込み、機器本体３００の底部３０１に形成されている係合孔３０２に雄ねじ部１１２の先端部１１２ｂ（円錐部１２１）を係合させるように構成されている。このため、このアジャスタ１０１によれば、機器本体３００の底部３０１に雌ねじ部を形成する必要がないため、底部３０１に雌ねじ部を形成するスペースを確保することができない機器本体３００についても、姿勢の調整を確実に行うことができる。
【００５５】
なお、アジャスタは、上記の構成に限定されない。例えば、ベース部１１に形成した凹部１１ｂに対する雄ねじ部１２の突起部２１の着脱を可能とした構成例について上記したが、ボールジョイントやユニバーサルジョイントを用いてベース部１１と雄ねじ部１２の基端部１２ａとを連結する構成を採用することもできる。
【００５６】
また、回転規制部１３の構成も適宜変更することができる。例えば、平面視円形の板状の規制部本体３１を用いる例について上記したが、平面視多角形の板状の規制部本体、平面視楕円形の板状の規制部本体、柱状の規制部本体、およびブロック状の規制部本体等の任意の形状の規制部本体を用いることができる。また、４つの加圧ねじ３２を用いる例について上記したが、任意の数（１つ〜３つ、または５つ以上の）加圧ねじ３２を用いることができる。
【符号の説明】
【００５７】
１，１０１  アジャスタ
１１，１１１  ベース部
１１ａ  上面
１１ｂ  凹部
１２，１１２  雄ねじ部
１２ａ，１１２ａ  基端部
１２ｂ，１１２ｂ  先端部
１３  回転規制部
２１  突起部
３１  規制部本体
３１ａ  ねじ孔
３１ｂ  挿通孔
３２  加圧ねじ
１１１ｂ，１１１ｃ，２０２，２０３  雌ねじ部
１２１  円錐部
２００，３００  機器本体
２０１，３０１  底部
３０２  係合孔
４００  設置面
【図１】
2015088700.tif 000003
【図２】
2015088700.tif 000004
【図３】
2015088700.tif 000005
【図４】
2015088700.tif 000006
【図５】
2015088700.tif 000007
【図６】
2015088700.tif 000008
【図７】
2015088700.tif 000009
【図８】
2015088700.tif 000010